(57)【要約】本発明の表示装置用照明装置は、複数の光源１５と、前記光源１５に対して駆動電力を供給する電源１９と、前記駆動電力を前記複数の光源１５に対して供給するための共通電極１１０と、前記各光源１５をそれぞれ保持するとともに、前記共通電極１１０から前記駆動電力を前記各光源１５に対して個別に供給する複数の保持電極１８０と、前記共通電極１１０と前記各保持電極１８０との間に介在する誘電部１００と、を備えることを特徴とする。
2008099532.tif 000002
【特許請求の範囲】
【請求項１】
複数の光源と、
前記光源に対して駆動電力を供給する電源と、
前記駆動電力を前記複数の光源に対して供給するための共通電極と、
前記各光源をそれぞれ保持するとともに、前記共通電極から前記駆動電力を前記各光源に対して個別に供給する複数の保持電極と、
前記共通電極と前記各保持電極との間に介在する誘電部と、を備えることを特徴とする表示装置用照明装置。
【請求項２】
前記光源は、放電管よりなることを特徴とする請求の範囲第１項に記載の表示装置用照明装置。
【請求項３】
前記電源は、高周波電圧を生成するインバータ回路を含むことを特徴とする請求の範囲第１項又は第２項に記載の表示装置用照明装置。
【請求項４】
前記共通電極は、前記複数の光源に対して一括して前記駆動電力を供給可能とされていることを特徴とする請求の範囲第１項ないし第３項のいずれか１項に記載の表示装置用照明装置。
【請求項５】
前記光源は、前記駆動電力の供給を受けるための端子を備え、
前記保持電極は、前記端子を保持し、且つ当該端子を介して前記光源に前記駆動電力を供給可能に構成されていることを特徴とする請求の範囲第１項ないし第４項のいずれか１項に記載の表示装置用照明装置。
【請求項６】
前記光源は、前記駆動電力の供給を受けるための端子を備え、
前記保持電極は、前記端子を保持する導電性のクリップ部材からなることを特徴とする請求の範囲第１項ないし第５項のいずれか１項に記載の表示装置用照明装置。
【請求項７】
前記光源は線状光源であって、当該線状光源の両端に前記駆動電力の供給を受けるための端子が形成されるとともに、当該両端の端子に対して、前記保持電極がそれぞれ形成されていることを特徴とする請求の範囲第１項ないし第６項のいずれか１項に記載の表示装置用照明装置。
【請求項８】
前記光源は、線状のガラス管と、前記ガラス管の両端から当該ガラス管と同軸状に且つ直線状に突出するアウタリードと、当該アウタリードと電気的に接続されるとともに前記ガラス管の両端部に取り付けられて前記端子を構成する口金と、を備えることを特徴する請求の範囲第５項ないし第７項のいずれか１項に記載の表示装置用照明装置。
【請求項９】
前記誘電部は、前記共通電極と前記保持電極との間に形成された誘電膜であることを特徴とする請求の範囲第１項ないし第８項のいずれか１項に記載の表示装置用照明装置。
【請求項１０】
前記誘電部は、前記共通電極と前記保持電極との間に形成されたチップコンデンサであることを特徴とする請求の範囲第１項ないし第８項のいずれか１項に記載の表示装置用照明装置。
【請求項１１】
前記誘電部は、回路基板上に実装したチップコンデンサからなり、当該チップコンデンサは前記保持電極に対して一対一で実装されてなることを特徴とする請求の範囲第１項ないし第８項のいずれか１項に記載の表示装置用照明装置。
【請求項１２】
前記保持電極が基板上に形成されてなる一方、前記誘電部が前記保持電極の各々に対して接続された誘電素子であって、前記保持電極の各々は、前記誘電素子を介して前記共通電極と接続されていることを特徴とする請求の範囲第１項ないし第８項のいずれか１項に記載の表示装置用照明装置。
【請求項１３】
前記保持電極が回路基板の第１面上に形成され、当該第１面上には前記保持電極と同電位の第１容量電極が形成される一方、
前記共通電極が前記回路基板の前記第１面とは反対側の第２面上に形成され、当該第２面上には前記共通電極と同電位の第２容量電極が形成されており、
前記第１容量電極と前記第２容量電極とは、前記回路基板を介して対向配置されていることを特徴とする請求の範囲第１項ないし第８項のいずれか１項に記載の表示装置用照明装置。
【請求項１４】
前記保持電極が回路基板の第１面上に形成され、当該第１面上には前記保持電極とは絶縁された共通電極と、前記共通電極と同電位の第３容量電極が形成される一方、
前記回路基板の前記第１面とは反対側の第２面上には、前記保持電極の端子部であって当該回路基板を貫通してなる接続端子部と、前記接続端子部と同電位の第４容量電極とが形成されており、
前記第３容量電極と前記第４容量電極とは、前記回路基板を介して対向配置されていることを特徴とする請求の範囲第１項ないし第８項のいずれか１項に記載の表示装置用照明装置。
【請求項１５】
前記光源を収容するシャーシと、
前記シャーシの前記光源側とは反対側に配設され、前記共通電極と、前記保持電極と、前記誘電部と、が形成される回路基板と、を備え、
前記シャーシと前記回路基板との間には絶縁部材が形成されてなることを特徴とする請求の範囲第１項ないし第１４項のいずれか１項に記載の表示装置用照明装置。
【請求項１６】
前記光源を収容するシャーシと、
前記シャーシの前記光源側とは反対側に配設され、前記共通電極と、前記保持電極と、前記誘電部と、が形成される回路基板と、を備え、
前記シャーシは、前記回路基板と重畳する位置において開口部を備えることを特徴とする請求の範囲第１項ないし第１４項のいずれか１項に記載の表示装置用照明装置。
【請求項１７】
前記光源を収容するシャーシと、
前記シャーシの前記光源側とは反対側に配設され、前記共通電極と、前記保持電極と、前記誘電部と、が形成される回路基板と、を備え、
前記シャーシは、前記回路基板と重畳する位置において、他の部分よりも凹んでなる凹部を備えることを特徴とする請求の範囲第１項ないし第１４項のいずれか１項に記載の表示装置用照明装置。
【請求項１８】
請求の範囲第１項ないし第１７項のいずれか１項に記載の表示装置用照明装置と、
前記表示装置用照明装置からの光を利用して表示を行う表示パネルと、を備えることを特徴とする表示装置。
【請求項１９】
前記表示パネルが液晶を用いた液晶パネルであることを特徴とする請求の範囲第１８項に記載の表示装置。
【請求項２０】
請求の範囲第１８項又は第１９項に記載の表示装置を備えたことを特徴とするテレビ受信装置。
【発明の詳細な説明】
【技術分野】
【０００１】
本発明は、表示装置用照明装置、表示装置、テレビ受信装置に関するものである。
【背景技術】
【０００２】
液晶表示装置に代表される非発光型の光学素子を用いた表示装置においては、液晶パネル等の表示パネルに対して光を照射すべく、当該表示パネルの背面にはバックライト装置が設けられている（例えば特許文献１参照）。
【特許文献１】特開２００６−２４５００５公報
【０００３】
（発明が解決しようとする課題）
上記特許文献１に開示されたバックライト装置では、並列駆動可能なＣＣＦＬの構造が具備されている。つまり、特許文献１には、並列に接続した複数個の冷陰極線管ランプと、その複数個の冷陰極線管ランプと接続され、冷陰極線管ランプを放電させることができるように供給された電源の大きさを調節する第１電流制限部と、伝達された交流電源の大きさを変更して、前記変更された交流電源を前記第１電流制限部に供給するインバータと、を含むランプ駆動装置が開示されている。このように並列駆動が可能なＣＣＦＬ構造により、ＣＣＦＬの製作費用を減らすことができることはもちろん不良率を最小化することができるものとされている。ところが特許文献１では、詳細な構成までは開示されておらず、特に第１電流制限部がバラストコンデンサを含むという構成のみが開示されているに過ぎない。
【発明の開示】
【０００４】
本発明は、光源を並列して駆動するとともに、当該並列駆動の構成をより簡便化することでコストの大幅削減に寄与し、不具合発生が少なく、信頼性の高い表示装置用照明装置を提供することを目的としている。また、本発明は、そのような表示装置用照明装置を備えた表示装置、さらに、そのような表示装置を備えたテレビ受信装置を提供することを目的としている。
【０００５】
（課題を解決するための手段）
上記課題を解決するために、本発明の表示装置用照明装置は、複数の光源と、前記光源に対して駆動電力を供給する電源と、前記駆動電力を前記複数の光源に対して供給するための共通電極と、前記各光源をそれぞれ保持するとともに、前記共通電極から前記駆動電力を前記各光源に対して個別に供給する複数の保持電極と、前記共通電極と前記各保持電極との間に介在する誘電部と、を備えることを特徴とする。
【０００６】
このような表示装置用照明装置によると、共通電極と誘電部を介して、各光源に対して個別に駆動電力を供給する電極が形成されており、当該電極が、各光源をそれぞれ保持する保持電極とされているため、光源の保持機能と電極機能とを兼備した簡便な構成を具備したものとなる。したがって、煩わしい配線作業や光源の取付作業の手間が省かれ、製造効率が向上し、もってコスト削減に寄与することが可能となる。また、配線箇所や取付箇所における不良も生じ難く、非常に信頼性の高い表示装置用照明装置となる。
また、保持電極が共通電極との間に誘電部が介在しているため、電源と光源との間に容量が形成され、各光源を並列駆動することが可能となる。つまり、共通電極に対して電源から共通の電圧値を示す駆動電力を供給する一方、これに並列的に配設された各光源に対しては、誘電部を介して配設された保持電極から駆動電力を別個に供給するものとしているため、容量において電圧値が調整（制限）されて、各光源に適切な大きさの駆動電力を供給可能とされている。
このように本発明では光源の並列駆動を保持電極を用いた簡便な構成により提供できるため、表示装置用照明装置、ひいては表示装置のコスト削減に寄与することが可能となる。
【０００７】
前記光源は、放電管よりなるものとすることができる。
放電管からなる光源は、個々に供給する電圧の大きさを調節する必要があるが、本発明のように誘電部を介した構成によれば、当該光源に供給する電圧の大きさを好適に調節することが可能となる。
【０００８】
前記電源は、高周波電圧を生成するインバータ回路を含むものとすることができる。
本発明によれば、共通電極に対しては同一の大きさの電圧供給が可能なため、高周波電圧を生成するインバータ回路を含むような構成においては、当該インバータ回路を個々の光源に対して別個設ける必要がなく構成が簡便となるため好適である。
【０００９】
前記共通電極は、前記複数の光源に対して一括して前記駆動電力を供給可能とされているものとすることができる。
本発明では個々の光源に対して設けられた保持電極と誘電部を介して共通電極が設けられているため、当該共通電極は複数の光源に対して一括して駆動電力を供給可能な構成とすることができ、つまり共通電極に対して所定の駆動電力を電源から供給可能な構成となる。したがって、上述のようなインバータ回路の個数を例えば１個にすることができ、当該表示装置用照明装置の構成を簡便なものとすることができるようになる。
【００１０】
前記光源は、前記駆動電力の供給を受けるための端子を備え、前記保持電極は、前記端子を保持し、且つ当該端子から前記駆動電力を供給可能に構成されているものとすることができる。
このように光源に端子を設け、当該端子を保持する形で保持電極を設けるものとすれば、配線を省略でき、当該光源駆動に係る構成が非常に簡便なものとなる。
【００１１】
前記光源は、前記駆動電力の供給を受けるための端子を備え、前記保持電極は、前記端子を保持する導電性のクリップ部材からなるものとすることができる。
このように光源に端子を設け、当該端子を保持する導電性のクリップ部材から保持電極を構成すれば、配線を省略でき、当該光源駆動に係る構成が非常に簡便なものとなる。
【００１２】
前記光源は線状光源であって、当該線状光源の両端に前記駆動電力の供給を受けるための端子が形成されるとともに、当該両端の端子に対して、前記保持電極がそれぞれ形成されているものとすることができる。
このように線状光源の両端の端子を本発明に係る保持電極により保持する構成とすれば、当該両端において光源に供給する電圧のバランスが良く、発光効率が高いものとなる。
【００１３】
前記光源は、線状のガラス管と、前記ガラス管の両端から当該ガラス管と同軸状に且つ直線状に突出するアウタリードと、当該アウタリードに接続されるとともに前記ガラス管の両端部に取り付けられて前記端子を構成する口金と、を備えるものとすることができる。
このように線状ガラス管の両端にアウタリード及び口金を備える光源を用いる場合、本発明のような保持電極によれば、光源の設置と電気接続とを同時に行うことができるとともに、当該保持電極に対して誘電部を介して共通電極を設けることで、当該光源を並列駆動可能となり、構成が簡便となって、一層コスト削減に寄与することが可能となる。
【００１４】
前記誘電部は、前記共通電極と前記保持電極との間に形成された誘電膜であるものとすることができる。
このような構成により容量形成が簡便且つ確実なものとなる。また、特に誘電膜を共通電極上に層状に形成し、その誘電膜に対して各保持電極を構成するものとすれば、一層製造効率が向上し、コスト削減に寄与することが可能となる。
【００１５】
前記誘電部は、前記共通電極と前記保持電極との間に形成されたコンデンサチップであるものとすることができる。
このような構成により容量形成が簡便且つ確実なものとなる。また、特にコンデンサチップによれば、一層製造効率が向上し、コスト削減に寄与することが可能となる。
【００１６】
前記光源を収容するシャーシと、前記シャーシの前記光源側とは反対側に配設され、前記共通電極と、前記保持電極と、前記誘電部と、が形成される回路基板と、を備え、前記シャーシと前記回路基板との間には絶縁部材が形成されてなるものとすることができる。
共通電極や保持電極が形成される回路基板は、高周波電圧を生成ないし供給するものであるため、シャーシ内部への漏電等を防止ないし抑制すべく絶縁部材を設けることが好ましい。特にシャーシが金属製の板金等からなる場合、シャーシが導電性を備えるため、当該絶縁部材を設ける効果が一層顕著となり得る。
【００１７】
また、高周波電圧が供給されることで回路基板は高熱となり得る。その点、当該回路基板とシャーシとの間に断熱部材を設けるものとしても良い。この場合、例えば絶縁性断熱部材を設けるものとすることができる。
【００１８】
前記光源を収容するシャーシと、前記シャーシの前記光源側とは反対側に配設され、前記共通電極と、前記保持電極と、前記誘電部と、が形成される回路基板と、を備え、前記シャーシは、前記回路基板と重畳する位置において開口部を備えるものとすることができる。
共通電極や保持電極が形成される回路基板は、高周波電圧を生成ないし供給するものであるため、シャーシ内部への漏電等を防止ないし抑制すべく開口部を設けることが好ましい。特にシャーシが金属製の板金等からなる場合、シャーシが導電性を備えるため、当該開口部を設ける効果が一層顕著となり得る。
【００１９】
前記光源を収容するシャーシと、前記シャーシの前記光源側とは反対側に配設され、前記共通電極と、前記保持電極と、前記誘電部と、が形成される回路基板と、を備え、前記シャーシは、前記回路基板と重畳する位置において、他の部分よりも凹んでなる凹部を備えるものとすることができる。
共通電極や保持電極が形成される回路基板は、高周波電圧を生成ないし供給するものであるため、シャーシ内部への漏電等を防止ないし抑制すべく凹部を設けて距離を隔てることが好ましい。特にシャーシが金属製の板金等からなる場合、シャーシが導電性を備えるため、当該凹部を設ける効果が一層顕著となり得る。
【００２０】
次に、上記課題を解決するために、本発明の表示装置は、上記本発明に係る表示装置用照明装置と、前記表示装置用照明装置からの光を利用して表示を行う表示パネルと、を備えることを特徴とする。
このような表示装置によると、表示装置用照明装置においてコスト削減を実現でき、且つ信頼性を高めることが可能となるため、当該表示装置においてもコスト削減ないし信頼性向上を実現することが可能となる。
【００２１】
前記表示パネルとしては液晶パネルを例示することができる。このような表示装置は液晶表示装置として、種々の用途、例えばテレビやパソコンのデスクトップ画面等に適用でき、特に大型画面用として好適である。
【００２２】
また、本発明のテレビ受信装置は、上記表示装置を備えることを特徴とする。
このようなテレビ受信装置によると、信頼性の高いものを安価に提供することが可能となる。
【００２３】
（発明の効果）
本発明によると、光源を並列して駆動するとともに、当該並列駆動の構成をより簡便化することでコストの大幅削減に寄与し、不具合発生が少なく、信頼性の高い表示装置用照明装置を提供することが可能となる。また、そのような表示装置用照明装置を備えた安価で信頼性の高い表示装置、さらに、そのような表示装置を備えた安価で信頼性の高いテレビ受信装置を提供することが可能となる。
【図面の簡単な説明】
【００２４】
【図１】本実施形態の液晶表示装置（表示装置）の水平断面図。
【図２】液晶表示装置が備える照明装置（表示装置用照明装置）の斜視図。
【図３】同照明装置の背面図。
【図４】照明装置が備える電源基板（回路基板）の斜視図。
【図５】同電源基板の正面図。
【図６】放電管の斜視図。
【図７】放電管に対する駆動電力の供給構造を模式的に示す説明図。
【図８】放電管に対する駆動電力の供給構造の一変形例を模式的に示す説明図。
【図９】図８の供給構造の構成を別途模式的に示す説明図。
【図１０】液晶表示装置の一変形例を示す水平断面図。
【図１１】テレビ受信装置の実施形態を示した分解斜視図。
【図１２】放電管に対する駆動電力の供給構造の一変形例を模式的に示す説明図。
【図１３】放電管に対する駆動電力の供給構造の一変形例を模式的に示す説明図。
【図１４】図１３の平面図。
【図１５】図１３の底面図。
【図１６】放電管に対する駆動電力の供給構造の一変形例を模式的に示す説明図。
【図１７】図１６の平面図。
【図１８】図１６の底面図。
【符号の説明】
【００２５】
１０...照明装置（表示装置用照明装置）、１５...放電管（光源）、１９...インバータ回路部品（電源）、Ｔ...電源、１００...誘電膜（誘電部）、１１０，１１１...共通電極、１８０...ホルダ（保持電極）
【発明を実施するための最良の形態】
【００２６】
以下、本発明を具体化した実施形態について図面を参照して説明する。
図１は本実施形態の液晶表示装置（表示装置）Ｄの水平断面図、図２は液晶表示装置Ｄが備える照明装置（表示装置用照明装置）１０の斜視図、図３は同照明装置１０の背面図、図４は照明装置１０が備える電源基板（回路基板）１６の斜視図、図５は同電源基板１６の正面図、図６は放電管１５の斜視図、図７は放電管１５に対する駆動電力の供給構造を模式的に示す説明図である。【００２７】
また、図８は放電管１５に対する駆動電力の供給構造の一変形例を模式的に示す説明図、図９は当該供給構造の構成を別途模式的に示す説明図である。さらに、図１０は液晶表示装置Ｄの一変形例を示す水平断面図、図１１はテレビ受信装置の実施形態を示した分解斜視図である。【００２８】
図１に示した液晶表示装置Ｄは、全体として横長の方形をなし、図１に示すように、表示パネル１１と照明装置１０とを備えて構成される。表示パネル１１は照明装置１０の正面側に配置され、照明装置１０はバックライトとして背面側から表示パネル１１を光照射する。【００２９】
この液晶表示装置Ｄは、テレビ受信装置に適用することができる。テレビ受信装置は、図１１に示すように、液晶表示装置Ｄと、液晶表示装置Ｄを挟むようにして収容する表裏両キャビネットＣａ，Ｃｂと、後述する電源基板１６とは別の電源Ｐと、チューナーＴと、スタンドＳとを備えて構成される。【００３０】
表示パネル１１は、透明なＴＦＴ基板と透明なＣＦ基板との間に、電圧印加に伴って光学特性が変化する物質である液晶を封入した周知構造のものであり、ＴＦＴ基板には、互いに直交するソース配線とゲート配線とに接続されたスイッチング素子としてのＴＦＴ（Thin Film Transistor）や画素電極が設けられ、ＣＦ基板には、赤（Ｒ），緑（Ｇ），青（Ｂ）の三原色の色部をマトリックス状に配置したカラーフィルターや対向電極が設けられている。【００３１】
照明装置１０は、図２において詳細に示されるように、ランプユニット１２と電源基板１６とを備えて構成される。
ランプユニット１２は、全体として横長方形の板状をなして反射板として機能する金属製のシャーシ１３と、シャーシ１３の正面側に水平な姿勢で上下方向に並列するように配置される複数本の放電管１５と、シャーシ１３の左右両側縁に沿って各放電管１５と対応するように上下に並べて配置された複数の中継コネクタ１４とを備えている。
電源基板１６は、シャーシ１３の裏面側に配置されて中継コネクタ１４を介すことにより放電管１５に対して電力供給を行う。【００３２】
シャーシ１３には、各放電管１５と同じ高さであって放電管１５の端部と対応する位置を正面から背面へ貫通させた形態の複数の取付孔１３Ｈが上下方向に並ぶように形成され、各取付孔１３Ｈには、それぞれ中継コネクタ１４が貫通して取り付けられている。中継コネクタ１４は、導電性を有する金属製のホルダ（保持電極）１８０を備え、このホルダ１８０によって放電管１５をシャーシ１３に対して取付可能とされている。【００３３】
ホルダ１８０は例えば図７に示すようにクリップ状に構成され、放電管１５の端部に設けられた口金（端子）５０を保持可能に構成されている。つまり、ホルダ１８０は一対の弾性係止片により構成されて、これら弾性係止片の弾性変形により放電管１５を抜き差し自在に構成するものである。【００３４】
また、ホルダ１８０は、シャーシ１３の正面側から取付孔１３Ｈに差し込まれ、当該シャーシ１３に固定されている。シャーシ１３に取り付けた状態では、ホルダ１８０の前端側部分がシャーシ１３の正面側へ突出するとともに、ホルダ１８０の後端側部分がシャーシ１３の背面側へ突出した状態となる。そして、そのホルダ１８０の後端側部分が電源基板１６に接続されて電気的接続が可能とされている。なお、ホルダ１８０は上述の通り自身が導電性を備えるため、放電管１５を保持する機能とともに、放電管１５と電源基板１６とを電気的に接続し、当該放電管１５に駆動電力を供給する電極としての機能をも備えたものである。【００３５】
さらに、図２及び図３に示されるように、シャーシ１３はその一部を開口してなる開口部１３ａが形成されている。開口部１３ａはシャーシ１３のうち電源基板１６と重畳する位置、つまり電源基板１６と対向するように形成され、電源基板１６とシャーシ１３内部との絶縁が図られている。【００３６】
放電管１５は、ガラス管内に放電ガスを備える冷陰極線管からなり、図６に示すように全体として細長く円形断面の直線状のガラス管４０と、ガラス管４０の両端からガラス管４０と同軸状に且つ直線状に突出する細長いアウタリード４２と、ガラス管４０の両端部に取り付けられる口金５０とから構成される。口金５０は、所定形状に打ち抜かれた金属製（例えば、銅合金製）の板材に曲げ加工や叩き出し加工を施すことによって形成され、本体５１と導電片５７とからなる。本体５１は、全体として円筒形をなし、ガラス管４０の外周に取り付けられている。導電片５７は、本体５１の端縁から延出してアウタリード４２の外周に弾性接触し、溶接により固定されている。【００３７】
このような放電管１５は、図７に示すように、その両端部をホルダ１８０により嵌合されることでシャーシ１３に取り付けられるとともに、口金５０の本体５１の外周がホルダ１８０と弾性接触することで、当該ホルダ１８０から駆動電力の供給を受けることが可能となっている。つまり、口金５０が放電管１５の電源接続端子（端子）を構成し、この口金５０をホルダ１８０に嵌め込むのみで、放電管１５の設置と電気的接続が完了する。【００３８】
一方、シャーシ１３の背面側に配設された電源基板１６は、図１、図３ないし図５に示すように、背面（シャーシ１３と反対側の面）に回路が形成された基材１７と、基材１７の背面に実装されたインバータ回路部品１９と、基材１７の背面に取り付けられた複数の基板コネクタ１８を備えている。なお、インバータ回路部品１９は、ここでは放電管１５に対する駆動電力を供給するための回路部品であって、供給電圧を所定の電圧値に調整（昇圧）する機能を備えている。【００３９】
基材１７は、全体として縦長の方形をなし、紙基材フェノール樹脂銅張積層板（紙フェノールと称される）が用いられている。基材１７には、縦長の方形をなす複数の嵌合孔１７Ｈが正面側から背面側へ貫通するように形成されている。複数の嵌合孔１７Ｈは、上記した中継コネクタ１４と対応するように、基材１７の左右両側の縁部１７Ｅ（つまり、側縁部）に沿って上下に並ぶように配置されている。また、基材１７には、その正面から背面へ貫通する複数の位置決め孔１７ａが形成されている。位置決め孔１７ａは、嵌合孔１７Ｈと基材１７の側縁との間に配置されているとともに、１つの嵌合孔１７Ｈに対して上下一対ずつ設けられている。【００４０】
基板コネクタ１８は、各嵌合孔１７Ｈと対応するように、基材１７の左右両側縁に沿って配置され、嵌合孔１７Ｈを通して中継コネクタ１４と嵌合されるようになっている。基板コネクタ１８は、合成樹脂等の絶縁性の材料からなるハウジング６０（図４参照）と、ハウジング６０内に収容されたホルダ１８０とを備えて構成されている。【００４１】
ホルダ１８０は、基材１７においてインバータ回路部品１９と電気的に接続されている。上述の通り、ホルダ１８０はシャーシ１３の内面において放電管１５を保持する一方、当該放電管１５に対して駆動電力を供給するための電極としての機能も備えている。
具体的には、図５に示すようにインバータ回路部品１９から各ホルダ１８０・・・に共通に駆動電力を供給する共通電極１１０を備え、共通電極１１０から誘電膜１００を介して個々のホルダ１８０に駆動電力が供給される構成とされている。【００４２】
なお、共通電極１１０はアルミニウム等の導電薄膜からなり、誘電膜１００はセラミックス等の絶縁材料薄膜からなる。なお、誘電膜１００も各ホルダ１８０に共通とされ、各ホルダ１８０に跨ってベタ状に成膜された構成を備えている。【００４３】
複数配置された放電管１５はそれぞれ電位が異なるため、それぞれ異なる大きさの駆動電力を供給する必要がある。したがって、一般的には、個々の放電管１５（すなわち本実施形態では個々のホルダ１８０）に対して異なる大きさの駆動電力を供給するために、各放電管１５に対してインバータ回路部品１９を別個に設ける必要がある。
しかしながら、本実施形態では、各放電管１５に対する電極として機能するホルダ１８０に対して誘電膜（誘電部）１００を介して共通電極１１０から駆動電力を供給する構成としたため、共通電極１１０に対して一定の大きさの駆動電力を供給する構成とすることができる。したがって、インバータ回路部品１９を各放電管１５に対して共通なものとすることができるのである。なお、本実施形態では、図３に示すように、シャーシ１３の背面に形成された４つの電源基板１６の各々に対して、それぞれ１つのインバータ回路部品１９が配設されている。【００４４】
具体的には、図７に示すように、ホルダ（保持電極）１８０と共通電極１１０との間に誘電膜１００を介在させることでキャパシタが形成され、このキャパシタにより各放電管１５に対して供給される駆動電力が所定の電圧値に調整（制限）されるのである。そして、このようにキャパシタを形成することで、各放電管１５は並列駆動可能な係とされ、共通のインバータ回路部品１９を電源として駆動させることが可能となるのである。【００４５】
以上のような本実施形態の液晶表示装置Ｄは以下のような作用・効果を発現する。
まず、照明装置１０において、放電管１５に対する駆動電力供給経路として、当該放電管１５を保持するホルダ１８０を電極するとともに、当該ホルダ１８０をシャーシ１３の裏面に配設した電源基板１６に直接接続する構成としたため、電源供給用のハーネスが不要となり、当該電源供給に係る構成が非常に簡便化され、また放電管１５の組付け作業、配線作業が極めて簡便なものとなる。【００４６】
また、そのようなホルダ１８０に対して誘電膜１００を介して共通電極１１０から駆動電力を供給するものとしているため、各放電管１５を並列駆動することが可能である。つまり、電源（ここではインバータ回路部品１９）と各放電管１５との間に容量が形成されているため、各放電管１５を並列駆動することが可能となるのである。具体的には、共通電極１１０に対して共通の電圧値を示す駆動電力を供給する一方、これに並列的に配設された各放電管１５に対しては、誘電膜１１０を介して配設された各ホルダ１８０から駆動電力を別個に供給するものとしているため、ホルダ１８０と共通電極１１０とに介在した誘電膜１００から構成される容量において電圧値が調整（制限）され、各放電管１５に適切な大きさの駆動電力を供給することができるのである。このように本実施形態では、放電管１５の並列駆動を、ホルダ１８０を用いた簡便な構成により提供できるため、大幅なコスト削減に寄与することが可能とされている。【００４７】
また、図７に示すように、本実施形態では放電管１５の両端においてホルダ１８０がそれぞれ形成されているため、放電管１５に供給する電圧のバランスが良く、発光効率が高いものとなる。【００４８】
また、本実施形態の液晶表示装置Ｄが備えるシャーシ１３は、電源基板１６と重畳する位置において開口部１３ａを備えているため、電源基板１６からシャーシ１３内部への漏電を防止ないし抑制可能なものとされている。電源基板１６は高周波電圧を生成ないし供給するものであるため、シャーシ１３に開口部１３ａを形成することで、シャーシ１３内部への漏電等を防止ないし抑制することが可能となる。なお、開口部１３ａは、高温となる電源基板１６からシャーシ１３ａ内部への熱伝導を防止する機能も備えている。【００４９】
なお、そのような漏電ないし熱伝道防止効果は、シャーシ１３に対して、電源基板１６と重畳する位置において他の部分よりも凹んでなる凹部を形成することによっても実現することができる。【００５０】
以上、本発明に好適な実施形態を説明したが、本発明は上記記述及び図面によって説明した実施形態に限定されるものではなく、例えば次のような実施態様も本発明の技術的範囲に含まれる。【００５１】
（１）図８に示すように、コンデンサチップ１０１を共通電極１１１とホルダ１８０との間に介在させることもできる。つまり、図１に示した実施形態では、放電管１５に対して供給する電圧値を調整（制限）する容量を形成すべく誘電膜１００を共通電極１１１とホルダ１８０との間に介在させが、当該容量をコンデンサチップ１０１により形成することもできるのである。
このようなコンデンサチップ１０１により容量を形成するものとすれば、製造効率が向上し、コスト削減に寄与することが可能となる。
なお、この場合、図９に示すように容量１０１は各ホルダ１８０に対して一対一で配設されるものとなる。【００５２】
（２）図１０に示すように、電源基板１６とシャーシ１３との絶縁ないし断熱を絶縁性断熱部材１３０により構成することができる。つまり、図１に示した実施形態では、シャーシ１３に開口部１３ａを形成することで、電源基板１６とシャーシ１３との絶縁ないし断熱を実現していたが、絶縁性断熱部材１３０を介在させるものとしても当該絶縁ないし断熱を実現することができる。この場合、絶縁性断熱部材１３０はアルミナ等のセラミックス部材を用いるのが好適である。【００５３】
（３）その他、電源基板１６の基材１７は、紙基材フェノール樹脂銅張積層板に限らず、ガラスエポキシ製やセラミック製の板材であってもよい。
（４）また、液晶表示装置Ｄの表示パネル１１は、スイッチング素子がＴＦＴであるものに限らず、スイッチング素子がＭＩＭ（Metal Insulator Metal） 等、ＴＦＴ以外のものであってもよい。
（５）また、本発明の表示装置としては、液晶表示装置に限らず、表示パネルの背面側に照明装置を必要する種々の表示装置が含まれる。【００５４】
（６）また、図１２に示すように回路基板（紙フェノール基板）２００上に誘電部としてのチップコンデンサ（誘電素子）２０１を実装させてホルダ（保持電極）１８０と共通電極１１１との間の容量結合を実現することもできる。この場合、図示したように、回路基板２００上にホルダ（保持電極）１８０が実装され、そのホルダ１８０の各々にチップコンデンサ２０１を介して共通電極１１１が電気的に接続された構成となる。つまり、ホルダ１８０に対して一対一でチップコンデンサ２０１を回路基板２００上に実装させている。【００５５】
（７）また、図１３に示すように回路基板（ガラスエポキシ基板）１００ａを誘電部として、ホルダ（保持電極）１８０と共通電極１１０ａとを電気的に接続することもできる。この場合、回路基板１００ａの上面（第１面）には、図１４にも示すように、ホルダ１８０と、ホルダ１８０と同電位の第１容量電極１８０ａが形成されている。また、回路基板１００ａの下面（第２面）には、図１５にも示すように、第１容量電極１８０ａに対して回路基板１００ａを介して対向配置された第２容量電極１１０ｂと、第２容量電極１１０ｂと同電位の共通電極（共通配線）１１０ａとが形成され、この共通電極１１０ａとインバータ基板１９の端子１９ａとが基板裏面側で電気的に接続されている。【００５６】
（８）また、図１６に示すように回路基板（ガラスエポキシ基板）１００ａを誘電部として、ホルダ（保持電極）１８０と共通電極１１０ａとを電気的に接続することもできる。この場合、回路基板１００ａの上面（第１面）には、図１７にも示すように、ホルダ１８０と、ホルダ１８０とは非接続状態の第３容量電極１１０ｃと、第３容量電極１１０と同電位の共通電極（共通配線）１１０ａとが形成され、この共通電極１１０ａとインバータ基板１９の端子１９ａとが基板裏面側で電気的に接続されている。一方、回路基板１００ａの下面（第２面）には、図１８にも示すように、回路基板１００ａを上面側から貫通してなるホルダ１８０のリード線（接続端子部）１８０ｍと、そのリード線１８０ｍと接続されてホルダ１８０と同電位の第４容量電極１８０ｎとが形成されている。このように回路基板１００ａの配線パターンでコンデンサを形成することで、容易に並列結合を実現することが可能となる。なお、図１６の構成では、回路基板１００ａの下面側において、リード線１８０ｍ及び第４容量電極１８０ｎとシャーシ１３とが絶縁されている。具体的には、当該リード線１８０ｍ及び第４容量電極１８０ｎと対向する位置において、シャーシ１３に対して切欠状の開口部を形成して絶縁をとることができる。また、共通電極１１０ａは、ホルダ１８０に対して絶縁すべく迂回した経路を辿っている。
【図１】
2008099532.tif 000003
【図２】
2008099532.tif 000004
【図３】
2008099532.tif 000005
【図４】
2008099532.tif 000006
【図５】
2008099532.tif 000007
【図６】
2008099532.tif 000008
【図７】
2008099532.tif 000009
【図８】
2008099532.tif 000010
【図９】
2008099532.tif 000011
【図１０】
2008099532.tif 000012
【図１１】
2008099532.tif 000013
【図１２】
2008099532.tif 000014
【図１３】
2008099532.tif 000015
【図１４】
2008099532.tif 000016
【図１５】
2008099532.tif 000017
【図１６】
2008099532.tif 000018
【図１７】
2008099532.tif 000019
【図１８】
2008099532.tif 000020
【手続補正書】
【提出日】平成20年4月2日(2008.4.2)
【手続補正１】
【補正対象書類名】特許請求の範囲
【補正対象項目名】全文
【補正方法】変更
【補正の内容】
【特許請求の範囲】
【請求項１】
複数の光源と、
前記光源に対して駆動電力を供給する電源と、
前記駆動電力を前記複数の光源に対して供給するための共通電極と、
前記各光源をそれぞれ保持するとともに、前記共通電極から前記駆動電力を前記各光源に対して個別に供給する複数の保持電極と、
前記共通電極と前記各保持電極との間に介在する誘電部と、を備え、
前記共通電極と前記保持電極と前記誘電部とが同一の基板上に形成されてなることを特徴とする表示装置用照明装置。
【請求項２】
前記誘電部は、前記共通電極と前記保持電極との間に形成されたチップコンデンサであることを特徴とする請求項１に記載の表示装置用照明装置。
【請求項３】
前記誘電部は、前記基板上に実装したチップコンデンサからなり、当該チップコンデンサは前記保持電極に対して一対一で実装されてなることを特徴とする請求項１又は請求項２に記載の表示装置用照明装置。
【請求項４】
前記光源を収容するシャーシを備え、
前記シャーシと前記基板との間には絶縁部材が形成されてなることを特徴とする請求項１ないし請求項３のいずれか１項に記載の表示装置用照明装置。
【請求項５】
前記共通電極は、前記複数の光源に対して一括して前記駆動電力を供給可能とされていることを特徴とする請求項１ないし請求項４のいずれか１項に記載の表示装置用照明装置。
【請求項６】
前記光源は、放電管よりなることを特徴とする請求項１ないし請求項５のいずれか１項に記載の表示装置用照明装置。
【請求項７】
前記電源は、高周波電圧を生成するインバータ回路を含むことを特徴とする請求項１ないし請求項６のいずれか１項に記載の表示装置用照明装置。
【請求項８】
前記光源は、前記駆動電力の供給を受けるための端子を備え、
前記保持電極は、前記端子を保持し、且つ当該端子を介して前記光源に前記駆動電力を供給可能に構成されていることを特徴とする請求項１ないし請求項７のいずれか１項に記載の表示装置用照明装置。
【請求項９】
前記光源は、前記駆動電力の供給を受けるための端子を備え、
前記保持電極は、前記端子を保持する導電性のクリップ部材からなることを特徴とする請求項１ないし請求項８のいずれか１項に記載の表示装置用照明装置。
【請求項１０】
前記光源は線状光源であって、当該線状光源の両端に前記駆動電力の供給を受けるための端子が形成されるとともに、当該両端の端子に対して、前記保持電極がそれぞれ形成されていることを特徴とする請求項１ないし請求項９のいずれか１項に記載の表示装置用照明装置。
【請求項１１】
請求項１ないし請求項１０のいずれか１項に記載の表示装置用照明装置と、
前記表示装置用照明装置からの光を利用して表示を行う表示パネルと、を備えることを特徴とする表示装置。
【請求項１２】
前記表示パネルが液晶を用いた液晶パネルであることを特徴とする請求項１１に記載の表示装置。
【請求項１３】
請求項１１又は請求項１２に記載の表示装置を備えたことを特徴とするテレビ受信装置。
【手続補正２】
【補正対象書類名】明細書
【補正対象項目名】０００５
【補正方法】変更
【補正の内容】
【０００５】
（課題を解決するための手段）
上記課題を解決するために、本発明の表示装置用照明装置は、複数の光源と、前記光源に対して駆動電力を供給する電源と、前記駆動電力を前記複数の光源に対して供給するための共通電極と、前記各光源をそれぞれ保持するとともに、前記共通電極から前記駆動電力を前記各光源に対して個別に供給する複数の保持電極と、前記共通電極と前記各保持電極との間に介在する誘電部と、を備え、前記共通電極と前記保持電極と前記誘電部とが同一の基板上に形成されてなることを特徴とする。
【国際調査報告】
2008099532.tif 000021
2008099532.tif 000022
2008099532.tif 000023
2008099532.tif 000024